(57)【要約】      （修正有）【課題】帽子本体とスベリが取替え可能で、清掃しやすくて菌・臭・汚れ防止に役立つ帽子を提供する。【解決手段】帽子本体１とスベリ３の取り外しができるものとする。取替え可能な固定策として帽子の内側とスベリの間にマジックテープ又はそれに類する固定可能物４を付ける。また雑菌や臭いをできるだけ防ぎ、汚れにくく清掃しやすくするため酸化チタン粉付着加工し役に立てるものとする。【選択図】図１
0003160886.tif 000002
【実用新案登録請求の範囲】
【請求項１】
帽子本体とスベリが取替え可能なことを特徴とするスベリ取替え機能付き帽子。
【請求項２】
帽子本体及びスベリに酸化チタン粉付着加工したことを特徴とする帽子。
【請求項３】
請求項１・２のスベリで取替え用を目的としたことを特徴とするスベリ。
【考案の詳細な説明】
【技術分野】
【０００１】  本考案は帽子の内側のスベリが取替えできる機能をもったものである。また帽子本体及びスベリに酸化チタン粉付着加工したものである。
【背景技術】
【０００２】  帽子の内側のスベリは雑菌による異臭と汚れのためすぐ清掃が必要で清掃に時間を要した。
【考案の概要】
【考案が解決しようとする課題】
【０００３】  帽子の使用後、特に内側のスベリが汚れを清掃するのに手間がかかった。この解決にスベリを取り外しができる様にして清掃しやすくしようとするものである。またスベリの替え物があればすぐに取替えられる。また帽子本体とスベリの清掃の時汚れが落ちちにくいので、それぞれに酸化チタン粉付着加工しておくと親水性で汚れはつきにくく落ちやすく、この問題を解決しようとするものである。
【課題を解決するための手段】
【０００４】  本考案は帽子本体と内側のスベリにマジックテープかこれに順ずるものを付けておくと汚れた時帽子本体とスベリの取り外しがすぐできる。そのため帽子本体とスベリが清掃しやすくなる。スベリの取替え物があると使用したスベリは後でゆっくり清掃できる。
また帽子本体とスベリに酸化チタン粉付着加工しておくと触媒効果と親水性で雑菌を殺す働きと汚れが付きにくく清掃する時汚れが落ちやすい。解決に役立つ。
【考案の効果】
【０００５】  上述の様に本考案のスベリの取替え機能付帽子にしておくと汚れたスベリは取り外して清掃しやすい。またスベリの替え物を付けることにより、常に快適な気分で使用できる。スベリの飾りの違う物も付けられる。帽子は汚れやすいので、特に汚れ防止手段として帽子本体とスベリに酸化チタン粉付着加工しておくと、汚れは付きにくく清掃もしやすい。衛生面で役立つ。
【図面の簡単な説明】
【０００６】
【図１】本考案のスベリが取替え可能機能付のマジックテープ固定型の場合のツバ付帽子の断面図の例である。
【図２】上述帽子の内側からのツバ付帽子の平面図の例である。
【考案を実施するための形態】
【０００７】  帽子本体の内側とスベリが固定される様に間になる面にマジックテープ又はそれに類似する固定できるものを付け固定させる。それぞれを取り外しができる様にしておくとスベリの掃除がやりやすく、また予備品があると常に清潔に使用できる。またスベリは今迄と違った材質や飾付とか固定概念とは違った帽子として楽しみが増える。当帽子本体やスベリに酸化チタン粉付着加工しておくと親水性で汚れにくく汚れても掃除しやすい。また触媒効果で雑菌の増殖や異臭を軽減させることができる。
【実施例】
【０００８】  帽子のスベリのデザインの違う替え用の多種類をもっておくと外出の時自由に選択でき楽しみと同時に他人に対しても帽子を脱いだ時同じ帽子であってもイメージが変わる。【０００９】  スベリの種類と替え物を持っておくと暇な時にゆっくり清掃できる。【００１０】  戸外で暑い時は汗取り用のスベリにして何回も取替えができる。【００１１】  太陽で暑い時はスベリの長い日よけのものをたらす様にして背首・顔の直射日光をさけ、紫外線防止にも役立つ。【００１２】  帽子本体とスベリに酸化チタン粉付着加工しておくと触媒効果と親水性で雑菌を殺し防臭にも役立つ。また汚れにくく、汚れても清掃しやすい。
【産業上の利用可能性】
【００１３】  農業・畜産業に従事する人は帽子は必要であり、汗取りも含め本考案帽子は総合的に有効活用できる。【００１４】  屋外競技に関係する人は利用度も多く、イメージ・チェンジにもなり清掃にも役立つ。
【符号の説明】
【００１５】  １  帽子本体
２  帽子のツバ
３  スベリ
４  帽子本体とスベリの固定物…例はマジックテープ
５  帽子本体とスベリの内外表面に酸化チタン粉付着加工
【図１】
0003160886.tif 000003
【図２】
0003160886.tif 000004
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
帽子本体とスベリを取替え可能にするため着脱可能機能留具を付けたことを特徴とするスベリ取替え機能付き帽子。
【請求項２】
帽子本体とスベリに酸化チタン粉付着加工したことを特徴とする請求項１記載のスベリ取替え機能付き帽子。
【請求項３】
帽子本体に付けるスベリで着脱可能機能留具を付けたもので酸化チタン粉付着加工したことを特徴とする取替え用スベリ。
【手続補正２】
【補正対象書類名】明細書
【補正対象項目名】０００４
【補正方法】変更
【補正の内容】
【０００４】  本考案は帽子本体と内側のスベリに着脱可能機能付き留具として「マジックテープ（登録商標）」か、これに順ずるものを付けておくと汚れた時帽子本体とスベリの取り外しがすぐできる。そのため帽子本体とスベリが清掃しやすくなる。スベリの取替え物があると使用したスベリは後でゆっくり清掃できる。  また帽子本体とスベリに酸化チタン粉付着加工しておくと触媒効果と親水性で雑菌を殺す働きと汚れが付きにくく清掃する時汚れが落ちやすい。解決に役立つ。
【手続補正３】
【補正対象書類名】明細書
【補正対象項目名】０００６
【補正方法】変更
【補正の内容】
【０００６】
【図１】本考案のスベリが取替え可能な着脱可能機能付き留具の「マジックテープ（登録商標）」固定した場合のツバ付帽子の断面図の例である。
【図２】上述帽子の内側からのツバ付帽子の平面図の例である。
【手続補正４】
【補正対象書類名】明細書
【補正対象項目名】０００７
【補正方法】変更
【補正の内容】
【０００７】  帽子本体の内側とスベリが固定される様に間になる面に着脱可能機能付き留具を付ける。留具として「マジックテープ（登録商標）」又はそれに順ずる固定できるものを付け固定させる。それぞれを取り外しができる様にしておくとスベリの掃除がやりやすく、また予備品があると常に清潔に使用できる。またスベリは今迄と違った材質や飾付とか固定概念とは違った帽子として楽しみが増える。当帽子本体やスベリに酸化チタン粉付着加工しておくと親水性で汚れにくく汚れても掃除しやすい。また触媒効果で雑菌の増殖や異臭を軽減させることができる。
【手続補正５】
【補正対象書類名】明細書
【補正対象項目名】００１５
【補正方法】変更
【補正の内容】
【００１５】  １、帽子本体  ２、帽子のツバ  ３、スベリ  ４、帽子本体とスベリの間の着脱可能機能付留具                  ……例は「マジックテープ（登録商標）」  ５、帽子本体とスベリの内外表面に酸化チタン粉付着加工